(57)【要約】【課題】  本発明は動的薬液注入工法に係り、砂層等の未固結層の地盤改良に於て、懸濁型の薬液を効果的に浸透注入できる動的薬液注入工法を提供することを目的とする。【解決手段】  未固結層を削孔注入管で所定深度まで削孔し、当該削孔注入管の先端側周壁に設けた上部注入孔から低強度の早期硬化性材料を噴出して、削孔注入管周囲の孔内及び注入孔の周辺地盤を固化して固結体を造成することにより、次に注入する懸濁型薬液の孔内周囲や地上への流出を防止する第一工程と、前記削孔注入管の先端に設けた注入孔から圧力パルスまたは圧力振動を加えた懸濁型薬液を浸透注入して、前記固結体の下方に改良体を造成する第二工程とを順次繰り返すことにより、未固結層に前記固結体と改良体を下方へ順次造成していくことを特徴とする。【選択図】    図８
2008063786.tif 000002
【特許請求の範囲】
【請求項１】
未固結層を削孔注入管で所定深度まで削孔し、当該削孔注入管の先端側周壁に設けた上部注入孔から低強度の早期硬化性材料を噴出して、削孔注入管周囲の孔内及び注入孔の周辺地盤を固化して固結体を造成することにより、次に注入する懸濁型薬液の孔内周囲や地上への流出を防止する第一工程と、
前記削孔注入管の先端に設けた注入孔から圧力パルスまたは圧力振動を加えた懸濁型薬液を浸透注入して、前記固結体の下方に改良体を造成する第二工程とを順次繰り返すことにより、未固結層に前記固結体と改良体を下方へ順次造成していくことを特徴とする動的薬液注入工法。
【請求項２】
未固結層を削孔注入管で所定の最深深度まで削孔する第一工程を終えた後、
削孔注入管の先端側周壁に設けた上部注入孔から低強度の早期硬化性材料を噴出して、削孔注入管周囲の孔内及び注入孔の周辺地盤を固化して固結体を造成することにより、次に注入する懸濁型薬液の孔内周囲や地上への流出を防止する第二工程と、
前記削孔注入管の先端に設けた注入孔から圧力パルスまたは圧力振動を加えた懸濁型薬液を浸透注入して、前記固結体の下方に改良体を造成する第三工程と、
削孔注入管を所定の長さに亘って引き抜く第四工程とを順次繰り返すことにより、未固結層に前記固結体と改良体を上方へ順次造成していくことを特徴とする動的薬液注入工法。
【請求項３】
前記早期硬化性材料は二液混合の瞬結注入液で、前記削孔注入管は、両瞬結注入液の通路と削孔水及び懸濁型薬液の兼用通路が形成された三重管構造からなり、その先端側周壁に、両瞬結注入液の注入孔からなる前記上部注入孔が形成され、削孔注入管の先端に、削孔水と懸濁型薬液の噴出／注入孔が形成されていることを特徴とする請求項１または請求項２に記載の動的薬液注入工法。
【発明の詳細な説明】
【技術分野】
【０００１】
本発明は、止水対策，強度改良，液状化防止対策等の地盤改良工事に用いる動的薬液注入工法に関する。
【背景技術】
【０００２】
特許文献１に開示されるように、軟弱地盤の止水対策，強度改良，液状化防止対策等を目的として、従来、様々な薬液注入工法が使用されている。
周知のようにこの薬液注入工法による地盤改良は、浸透注入と割裂注入の２形態に分類され、また、薬液（注入材）の種類として、粘性が水に近く細かい砂等への浸透性の高い「溶液型」と、強度を重視したセメント等の粒子分を含む「懸濁型」が知られており、一般的に粘性土に対する注入は割裂注入で粘度の高い懸濁型の薬液が適し、砂質土に対する注入は浸透注入で溶液型の薬液が適している。
【０００３】
そして、一般に浸透注入の注入形態が、改良体の均一性や注入時に於ける地盤変形量の小ささ、また、広範囲な地盤改良が可能といった点で、割裂注入に比し理想的といわれている。
【特許文献１】特許第２８７８８９２号公報
【発明の開示】
【発明が解決しようとする課題】
【０００４】
ところで、砂層等の未固結層に於て、理想的な浸透注入を図るためには溶液型の薬液を低流速で注入することが重要であるが、砂層中の細粒分の割合が大きくなるに従い浸透性が悪化する。このため、細粒分の割合が大きい場合は割裂注入に頼らざるを得ないが、注入圧の増大によって地盤の変形も発生し始めてしまう。
また、溶液型の薬液に比し懸濁型の薬液は強度的に優れ、而も、廉価であることから、砂層等の未固結層の地盤改良に於て、高強度が要求される場合は懸濁型の薬液を浸透注入するのが望ましい。
【０００５】
しかし、既述したように砂層中の細粒分の割合が大きくなるに従い浸透性が悪化し、セメント等の粒径のある材料の浸透注入に於ては、礫層や砂層であればよほど緩い状態でなければ浸透注入は望めず、割裂注入に頼らざるを得ないのが実情であるが、割裂注入に比べて浸透注入の注入形態が、改良体の均一性や注入時に於ける地盤の変形量の小ささ等の点で理想的で、而も、溶液型の薬液に比し懸濁型の薬液の方が強度的に優れ、また、廉価であることから、砂層等の未固結層の地盤改良に当たり、懸濁型の薬液を効果的に浸透注入できる方法が望まれていた。
【０００６】
本発明は斯かる実情に鑑み案出されたもので、砂層等の未固結層の地盤改良に於て、懸濁型の薬液を効果的に浸透注入できる動的薬液注入工法を提供することを目的とする。
【課題を解決するための手段】
【０００７】
斯かる目的を達成するため、請求項１に係る動的薬液注入工法は、未固結層を削孔注入管で所定深度まで削孔し、当該削孔注入管の先端側周壁に設けた上部注入孔から低強度の早期硬化性材料を噴出して、削孔注入管周囲の孔内及び注入孔の周辺地盤を固化して固結体を造成することにより、次に注入する懸濁型薬液の孔内周囲や地上への流出を防止する第一工程と、前記削孔注入管の先端に設けた注入孔から圧力パルスまたは圧力振動を加えた懸濁型薬液を浸透注入して、前記固結体の下方に改良体を造成する第二工程とを順次繰り返すことにより、未固結層に前記固結体と改良体を下方へ順次造成していくことを特徴とする。
【０００８】
また、請求項２に係る動的薬液注入工法は、未固結層を削孔注入管で所定の最深深度まで削孔する第一工程を終えた後、削孔注入管の先端側周壁に設けた上部注入孔から低強度の早期硬化性材料を噴出して、削孔注入管周囲の孔内及び注入孔の周辺地盤を固化して固結体を造成することにより、次に注入する懸濁型薬液の孔内周囲や地上への流出を防止する第二工程と、前記削孔注入管の先端に設けた注入孔から圧力パルスまたは圧力振動を加えた懸濁型薬液を浸透注入して、前記固結体の下方に改良体を造成する第三工程と、削孔注入管を所定の長さに亘って引き抜く第四工程とを順次繰り返すことにより、未固結層に前記固結体と改良体を上方へ順次造成していくことを特徴とする。
【０００９】
そして、請求項３に係る発明は、請求項１または請求項２に記載の動的薬液注入工法に於て、前記早期硬化性材料は二液混合の瞬結注入液で、前記削孔注入管は、両瞬結注入液の通路と削孔水及び懸濁型薬液の兼用通路が形成された三重管構造からなり、その先端側周壁に、両瞬結注入液の注入孔からなる前記上部注入孔が形成され、削孔注入管の先端に、削孔水と懸濁型薬液の噴出／注入孔が形成されていることを特徴とする。
【発明の効果】
【００１０】
各請求項に係る発明によれば、未固結層の地盤改良に於て、懸濁型薬液に圧力パルスや圧力振動を加えることにより、土粒子が動揺してセメント粒子等が浸透し易い状況になるため、土粒子間にセメント粒子等が残留することがなくなって注入到達距離の増大や圧力上昇の抑制が図れ、この結果、砂層等の未固結層に於ても、懸濁型薬液の良好な浸透注入が得られ、これにより、高強度の品質の確保や平面配置上の注入孔の間隔が広がり、更に、砂層等の未固結層への浸透注入に当たり、溶液型薬液に比し廉価な懸濁型薬液を使用することができることも相俟って、経済性の改良が図れる利点を有する。
【００１１】
また、従来、この種の砂層等の未固結層ではパッカーが効き難かったが、各請求項に係る発明によれば、斯かる従来のパッカーに代え、改良体の造成に先立ち、早期硬化性材料により周辺地盤を固化して固結体を造成するため、この固結体によって、削孔注入管の噴出／注入孔から噴射した懸濁型薬液が削孔注入管に沿って地表に流出してしまうことがなくなり、懸濁型薬液による良好な浸透注入が行える利点を有する。
【発明を実施するための最良の形態】
【００１２】
以下、本発明の実施形態を図面に基づいて詳細に説明する。
図１は請求項１及び請求項３の一実施形態に係る動的薬液注入工法の第一工程と、これに用いる機械設備を示し、図中、１は地盤改良を行う砂層等の未固結層３の地表上に配置された周知のボーリングマシンで、その固定フレーム５に地盤削孔装置７が移動自在に装着されている。この固定フレーム５は、地面９に対し垂直方向のみならず水平方向や斜め方向に向きを変えることができるようになっている。
【００１３】
そして、地盤削孔装置７に削孔注入管１１が取り付くと共に、当該削孔注入管１１に、瞬結注入Ａ液（珪酸ソーダ），瞬結注入Ｂ液（溶液型硬化剤），削孔水及びセメント系注入材（懸濁型薬液）を削孔注入管１１に圧送する注入ポンプ１３が接続されている。更に、注入ポンプ１３と削孔注入管１１との間に動的パルサー１５が介装されており、後述するようにセメント系注入材を削孔注入管１１に圧送する際に、この動的パルサー１５によってセメント系注入材に圧力パルスが加えられるようになっている。
【００１４】
尚、斯かる動的パルサー５に代え、セメント系注入材に圧力振動を加えることの可能なその他の機器を用いてもよい。
図２乃至図４に示すように削孔注入管１１は、注入ポンプ１３から圧送された瞬結注入Ａ液と瞬結注入Ｂ液を夫々流下させる複数本の通路（流路パイプ）１７，１９と、注入ポンプ１３から圧送された削孔水とセメント系注入材を流下させる通路（流路パイプ）２１が中央に設けられた三重管構造をなし、先端に複数個のビット２３が装着されている。
【００１５】
そして、削孔注入管１１の先端側周壁に、前記通路１７を流下した瞬結注入Ａ液を側方へ噴出させる注入孔２５と、前記通路１９を流下した瞬結注入Ｂ液を側方へ噴出させる注入孔２７が形成されており、これらは削孔注入管１１の上部注入孔２９を構成する。
而して、瞬結注入Ａ液と瞬結注入Ｂ液は二液混合の早期硬化性材料で、図１に示すように各注入孔２５，２７から噴出した瞬結注入Ａ液，Ｂ液が未固結層３で混合すると、削孔注入管１１周囲の孔内及び注入孔２５，２７の周辺地盤が固化して柱状の固結体３１が造成されるようになっている。
【００１６】
また、図示しないが削孔注入管１１の先端中央には、注入ポンプ１３から圧送された削孔水やセメント系注入材を下方（削孔方向）に噴出させる噴出／注入孔が設けられており、従来と同様、固定フレーム５に沿って下方へ地盤削孔装置７を移動させ乍ら、当該地盤削孔装置７で削孔注入管１１を回転させて前記注入ポンプ１３から削孔注入管１１に削孔水を圧送すると、回転する削孔注入管１１の先端に装着したビット２３と、噴出／注入孔から削孔方向へ噴出される高圧の削孔水によって未固結層３が削孔できるようになっている。
【００１７】
本実施形態に係る動的薬液注入工法に用いる機械設備はこのように構成されており、次にこれらを用いた動的薬液注入工法について説明する。
未固結層３の地盤改良を行うに当たり、先ず、第一工程として、未固結層３を削孔注入管１１で所定深度まで削孔する。
既述したように削孔注入管１１による削孔は、固定フレーム５に沿って下方へ地盤削孔装置７を移動させ乍ら、地盤削孔装置７で削孔注入管１１を回転させて注入ポンプ１３から削孔注入管１１に削孔水を圧送すればよく、回転する削孔注入管１１の先端に装着したビット２３と、噴出孔から削孔方向へ噴出される高圧の削孔水によって未固結層３が削孔される。
【００１８】
尚、図１に示すように本実施形態は、固定フレーム５を地面９に対し垂直方向にセットしたが、未固結層３内に固結体３１や後述する改良体３３を斜め方向に造成していく場合には、固定フレーム５を斜め方向に向きを変えればよい。
そして、斯様に削孔注入管１１によって所定の深度まで削孔した後、地盤削孔装置７を停止して削孔注入管１１による削孔を停止し、併せて注入ポンプ１３による削孔注入管１１への削孔水の供給を停止する。
【００１９】
次に、注入ポンプ１３により瞬結注入Ａ液と瞬結注入Ｂ液を削孔注入管１１へ圧送して、削孔注入管１１の先端側周壁に設けた注入孔２５，２７から瞬結注入Ａ液と瞬結注入Ｂ液を側方へ噴出させる。
而して、斯様に各注入孔２５，２７から瞬結注入Ａ液と瞬結注入Ｂ液が噴出すると、両注入Ａ液，Ｂ液が未固結層３で混合して、図１に示すように削孔注入管１１周囲の孔内及び注入孔２５，２７の周辺地盤が固化して柱状の固結体３１が造成される。
【００２０】
固結体３１の造成によって本実施形態に係る動的薬液注入工法の第一工程が終了し、次いで第二工程として、図５に示すように削孔注入管１１の先端中央の噴出／注入孔からセメント系注入材を下方へ浸透注入して、固結体３１の下方に柱状の改良体３３を造成していくが、本実施形態は、注入ポンプ１３から削孔注入管１１にセメント系注入材を圧送する際に、前記動的パルサー１５によってセメント系注入材に圧力パルスを加えることを特徴としている。
【００２１】
斯様にセメント系注入材に圧力パルスが加えられると、削孔注入管１１の先端中央の噴出／注入孔から噴射したセメント系注入材が土粒子を動揺させるため、セメントの粒子分が浸透し易い状況となってセメント系注入材の浸透距離が増大し、固結体３１の下方に柱状の改良体３３が良好に造成されることとなる。
そして、一般に、この種の砂層等の未固結層３ではパッカーが効き難い欠点があるが、既述したように本実施形態は、改良体３３の造成に先立ち、図１に示すように削孔注入管１１周囲の孔内及び注入孔２５，２７の周辺地盤を瞬結注入Ａ液と瞬結注入Ｂ液で固化して柱状の固結体３１を造成してパッカーの如き機能を持たせており、当該固結体３１によって、削孔注入管１１の噴出／注入孔から噴射したセメント系注入材が削孔注入管１１に沿って地表に流出してしまうことがない。
【００２２】
このように、図５に示すように第二工程に於て、圧力パルスを加えたセメント系注入材を浸透注入して固結体３１の下方に柱状の改良体３３を造成した後、図６乃至図９に示すように前記第一工程と第二工程を順次繰り返していくことで、未固結層３に固結体３１と改良体３３を下方へ順次造成していく。
即ち、図５の如く固結体３１の下方に柱状の改良体３３を造成した後、図６に示すように更に削孔注入管１１で所定深度まで削孔した後、図７に示すように前記注入孔２５，２７から瞬結注入Ａ液と瞬結注入Ｂ液を噴出して、削孔注入管１１周囲の孔内及び注入孔２５，２７の周辺地盤を固化して柱状の固結体３１を造成する。
【００２３】
この後、図８に示すように削孔注入管１１の噴出／注入孔から、再び、動的パルサー１５で圧力パルスが加えられたセメント系注入材を下方へ浸透注入させて、固結体３１の下方に柱状の改良体３３を造成する。
而して、この改良体３３の造成に於ても、セメント系注入材に圧力パルスが加えられているため、セメント系注入材が土粒子を動揺させてセメントの粒子分が浸透し易い状況となる。
【００２４】
以後、図９に示すように未固結層３を更に削孔注入管１１で所定深度まで削孔した後、注入孔２５，２７から瞬結注入Ａ液と瞬結注入Ｂ液を噴出して、削孔注入管１１周囲の孔内及び注入孔２５，２７の周辺地盤を固化して柱状の固結体３１を造成し、次いで、削孔注入管１１の噴出／注入孔から、動的パルサー１５により圧力パルスが加えられたセメント系注入材を下方へ浸透注入させて、固結体３１の下方に柱状の改良体３３を造成していくというように前記第一工程と第二工程を順次繰り返していくことで、未固結層３に固結体３１と改良体３３が下方へ順次造成されていくこととなる。
【００２５】
このように本実施形態は、未固結層３の地盤改良に於て、懸濁型薬液のセメント系注入材に圧力パルスを加えることにより、土粒子が動揺してセメント粒子が浸透し易い状況になるため、土粒子間にセメント粒子が残留することがなくなって注入到達距離の増大や圧力上昇の抑制が図れ、この結果、砂層等の未固結層３に於ても、セメント系注入材の良好な浸透注入が得られ、これにより、高強度の品質の確保や平面配置上の注入孔の間隔が広がり、更に、砂層等の未固結層への浸透注入に当たり、溶液型の薬液に比し廉価な懸濁型の薬液を使用することができることも相俟って、経済性の改良が図れる利点を有する。
【００２６】
また、従来、この種の砂層等の未固結層ではパッカーが効き難かったが、本実施形態は、斯かる従来のパッカーに代え、改良体３３の造成に先立ち、図１に示すように削孔注入管１１周囲の孔内及び注入孔２５，２７の周辺地盤を瞬結注入Ａ液と瞬結注入Ｂ液で固化して柱状の固結体３１を造成するため、削孔注入管１１の噴出／注入孔から噴射したセメント系注入材が削孔注入管１１に沿って地表に流出してしまうことがなくなり、セメント系注入材による良好な浸透注入が行える利点を有する。
【００２７】
ところで、上記実施形態は、既述した第一工程と第二工程を順次繰り返していくことで、未固結層３に固結体３１と改良体３３を下方へ順次造成していくものであるが、請求項２及び請求項３に係る動的薬液注入工法の一実施形態の如く、固結体３１と改良体３３を上方へ順次造成していくようにしてもよい。
図１０乃至図１４は請求項２及び請求項３に係る動的薬液注入工法の一実施形態を示し、本実施形態は、図１０に示すように第一工程として、先ず、削孔注入管１１によって未固結層３を所定の最深深度まで削孔する。
【００２８】
尚、削孔注入管１１による削孔方法は前記実施形態と同様である。
この後、図１１に示すように注入ポンプ１３により、瞬結注入Ａ液と瞬結注入Ｂ液を削孔注入管１１へ圧送し、削孔注入管１１の先端側周壁に設けた注入孔２５，２７から瞬結注入Ａ液と瞬結注入Ｂ液を側方に噴出させて固結体３１を造成する。
固結体３１の造成によって本実施形態の第二工程が終了し、次に第三工程として、図１２に示すように削孔注入管１１の先端中央の噴出／注入孔からセメント系注入材を下方へ浸透注入して、固結体３１の下方に柱状の改良体３３を造成する。そして、本実施形態に於ても、注入ポンプ１３から削孔注入管１１にセメント系注入材を圧送する際に、動的パルサー１５によってセメント系注入材に圧力パルスを加える。
【００２９】
斯様にセメント系注入材に圧力パルスが加えられると、既述したように削孔注入管１１の噴出／注入孔から噴射したセメント系注入材が土粒子を動揺させるため、セメントの粒子が浸透し易い状況となってセメント系注入材の浸透距離が増大し、固結体３１の下方に柱状の改良体３３が良好に造成されることとなる。
そして、このとき、前記固結体３１がセメント系注入材の地表への流出を防止する。
【００３０】
このように、第三工程に於て、圧力パルスを加えたセメント系注入材を浸透注入して固結体３１の下方に柱状の改良体３３を造成した後、第四工程に移行して、削孔注入管１１を所定の長さに亘って引き抜き、以後、図１３及び図１４に示すように前記第二工程乃至第四工程を順次繰り返して、未固結層３に固結体３１と改良体３３を上方へ順次造成して地盤改良を行っていく。尚、図１３中、３５は削孔注入管１１を引き抜いた際の孔を示している。
【００３１】
このように本実施形態に係る動的薬液注入工法も、未固結層３の地盤改良に於て、懸濁型薬液のセメント系注入材に圧力パルスを加えることにより、土粒子が動揺してセメント粒子が浸透し易い状況になるため、土粒子間にセメント粒子が残留することがなくなって注入到達距離の増大や圧力上昇の抑制が図れ、この結果、砂層等の未固結層３に於ても、セメント系注入材の如く懸濁型薬液の良好な浸透注入が得られ、これにより、高強度の品質の確保や平面配置上の注入孔の間隔が広がり、更に、砂層等の未固結層への浸透注入に当たり、溶液型の薬液に比し廉価な懸濁型の薬液を使用することができることも相俟って、経済性の改良が図れる利点を有する。
【００３２】
また、本実施形態も、従来のパッカーに代え、改良体３３の造成に先立ち、図１１に示すように削孔注入管１１周囲の孔内及び注入孔２５，２７の周辺地盤を瞬結注入Ａ液と瞬結注入Ｂ液で固化して柱状の固結体３１を造成するため、削孔注入管１１の噴出／注入孔から噴射したセメント系注入材が削孔注入管１１に沿って地表に流出してしまうことがなくなり、セメント系注入材による良好な浸透注入が行える利点を有する。
【図面の簡単な説明】
【００３３】
【図１】請求項１及び請求項３の一実施形態に係る動的薬液注入工法の第一工程の説明図である。
【図２】請求項１及び請求項３の一実施形態に用いる削孔注入管の断面図である。
【図３】図２のＡ−Ａ線断面図である。
【図４】図２のＢ−Ｂ線断面図である。
【図５】請求項１及び請求項３の一実施形態に係る動的薬液注入工法の第二工程の説明図である。
【図６】請求項１及び請求項３の一実施形態に係る動的薬液注入工法の繰り返して行う第一工程の説明図である。
【図７】請求項１及び請求項３の一実施形態に係る動的薬液注入工法の繰り返して行う第一工程の説明図である。
【図８】請求項１及び請求項３の一実施形態に係る動的薬液注入工法の繰り返して行う第二工程の説明図である。
【図９】請求項１及び請求項３の一実施形態に係る動的薬液注入工法の繰り返して行う第一工程の説明図である。
【図１０】請求項２及び請求項３の一実施形態に係る動的薬液注入工法の第一工程の説明図である。
【図１１】請求項２及び請求項３の一実施形態に係る動的薬液注入工法の第二工程の説明図である。
【図１２】請求項２及び請求項３の一実施形態に係る動的薬液注入工法の第三工程の説明図である。
【図１３】請求項２及び請求項３の一実施形態に係る動的薬液注入工法の第四工程と繰り返して行う第二工程の説明図である。
【図１４】請求項２及び請求項３の一実施形態に係る動的薬液注入工法の繰り返して行う第三工程の説明図である。
【符号の説明】
【００３４】
１  ボーリングマシン
３  未固結層
７  地盤削孔装置
１１  削孔注入管
１３  注入ポンプ
１５  動的パルサー
１７，１９，２１  通路
２３  ビット
２５，２７  注入孔
２９  上部注入孔
３１  固結体
３３  改良体
３５  孔
【図１】
2008063786.tif 000003
【図２】
2008063786.tif 000004
【図３】
2008063786.tif 000005
【図４】
2008063786.tif 000006
【図５】
2008063786.tif 000007
【図６】
2008063786.tif 000008
【図７】
2008063786.tif 000009
【図８】
2008063786.tif 000010
【図９】
2008063786.tif 000011
【図１０】
2008063786.tif 000012
【図１１】
2008063786.tif 000013
【図１２】
2008063786.tif 000014
【図１３】
2008063786.tif 000015
【図１４】
2008063786.tif 000016